(57)【要約】【課題】塩素ガスの発生を抑えて殺菌効果の高い殺菌水を製造する殺菌水の製造方法とその装置を提供するものである。【解決手段】原水を導入する導入管１６の途中に下流に向けて複数個の混合器２０，２２，２４，２６が設けられ、その各混合器の上流側の導入管１６に第一供給手段２８、第二供給手段３０、第三供給手段３４、第四供給手段３６が連絡している。導入管１６を流れる原水に第一供給手段２８から次亜塩素酸ナトリウムを添加混合し、第二供給手段３０から酸を添加混合して中和して中性の殺菌水とし、その中性の殺菌水に第三供給手段３４から次亜塩素酸ナトリウム若しくは酸のいずれか一方を再度添加混合し、第四供給手段から酸を添加混合することにより、殺菌効果の高い殺菌水を製造する。【選択図】  図１
2006043656.tif 000002
【特許請求の範囲】
【請求項１】
原水を導入する流体導入通路とその流体導入通路の途中に設けられる複数の混合手段とを有する装置を用いて、前記流体導入通路内に順次次亜塩素酸ナトリウムと酸とを添加し前記混合手段を用いて混合する殺菌水の製造方法であって、前記原水に前記次亜塩素酸ナトリウム若しくは酸のいずれか一方を添加混合し、その混合により生成される殺菌水を前記次亜塩素酸ナトリウム若しくは酸の他方を添加混合することによって中和して中性の殺菌水とし、その中性の殺菌水に前記次亜塩素酸ナトリウム若しくは酸のいずれか一方を再度添加混合し、その混合液に酸を添加混合することを特徴とする殺菌水の製造方法。
【請求項２】
原水を供給する給水通路と、その給水通路が供給する原水を導入させる流体導入通路と、その流体導入通路を流れる殺菌水を外部に供給する殺菌水供給通路と、前記流体導入通路の途中に下流側に向けて順に設けられる第一混合手段と第二混合手段と第三混合手段と第四混合手段とからなる混合手段と、前記給水通路と前記第一混合手段との間の流体導入通路の途中に連絡するものであって当該通路内に次亜塩素酸ナトリウム若しくは酸のいずれか一方を添加する第一供給手段と、前記第一混合手段と前記第二混合手段との間の流体導入通路の途中に連絡するものであって当該通路内に前記第一混合手段の混合により生成された殺菌水を中和する前記次亜塩素酸ナトリウム若しくは酸の他方を添加する第二供給手段と、第二混合手段と第三混合手段との間の流体導入通路の途中に連絡するものであって当該通路内に次亜塩素酸ナトリウムもしくは酸のいずれか一方を再度添加する第三供給手段と、前記第三混合手段と第四混合手段との間の流体導入通路の途中に連絡するものであって当該通路内に酸を添加する第四供給手段とを有することを特徴とする殺菌水製造装置。
【請求項３】
前記第二混合手段の下流側の流体導入通路に他の殺菌水供給通路を連絡することを特徴とする請求項２記載の殺菌水製造装置。
【請求項４】
前記流体導入通路を２つ備え、一方の流体導入通路の途中に下流側に向けて順に前記第一混合手段と第二混合手段と迂回用バルブとを設け、その第一混合手段の上流側の前記一方の流体導入通路の途中に前記第一供給手段を連絡し、前記第一混合手段と前記第二混合手段との間の前記一方の流体導入通路の途中に前記第二供給手段を連絡するとともに、他方の流体導入通路の途中に下流側に向けて順に迂回水導入用バルブと前記第三混合手段と前記第四混合手段とを設け、前記第三混合手段の上流側の前記他方の流体導入通路の途中に前記第三供給手段を連絡し、前記第三混合手段と前記第四混合手段との間の前記他方の流体導入通路の途中に前記第四供給手段を連絡し、前記迂回用バルブを備える前記一方の流体導入通路と前記迂回水導入用バルブを備える他方の流体導入通路とを連通する迂回水導入通路を備えることを特徴とする請求項２記載の殺菌水製造装置。
【発明の詳細な説明】
【技術分野】
【０００１】
本発明は、殺菌効果の高い殺菌水を製造するための殺菌水の製造方法及びその装置に関する。
【背景技術】
【０００２】
従来より、野菜，肉，魚等の食物の洗浄、食器の洗浄、医療器具の消毒、作業場の消毒などに利用される殺菌水が知られている。この殺菌水は、水道水や井戸水などの中性の水を原水として、その原水に次亜塩素酸ナトリウム（ＮａＯＣｌ）と塩酸（ＨＣｌ）などの酸とを添加混合することによって製造するもので、製造した殺菌水は、殺菌作用を示す遊離有効塩素、次亜塩素酸（ＨＯＣｌ）と次亜塩素酸イオン（ＯＣｌ−）を含有するものである。特に、次亜塩素酸は強い殺菌力を有し、次亜塩素酸を多く含む殺菌水は、殺菌効果が高いものである。例えば、遊離有効塩素濃度が高く多量の次亜塩素酸を含有する殺菌水や、遊離有効塩素の１００％が次亜塩素酸であるpＨ４乃至pＨ５の範囲の酸性の殺菌水は、殺菌効果が高い。
【０００３】
ところが、次亜塩素酸ナトリウムと酸とを添加混合して殺菌効果の高い殺菌水を生成する場合、次亜塩素酸ナトリウムと酸との反応による塩素ガスが発生し、人体に非常に危険であった。そこで、従来、上記塩素ガスが発生しにくい次亜塩素酸含有殺菌水の生成方法及びその装置が提案されていた（例えば、特許文献１参照）。
【０００４】
【特許文献１】特開平１１−１８８０８３号
【発明の開示】
【発明が解決しようとする課題】
【０００５】
従来の殺菌水の製造方法は、特定のｐＨ値又は特定の遊離有効塩素濃度の範囲内に保持されるように、１つの混合部に導入される原水に次亜塩素酸ナトリウムと酸との添加量を調整して添加し混合するものであった。また、反応による塩素ガスの発生を抑えるために、次亜塩素酸ナトリウムと酸とを同時に添加しないようにして、次亜塩素酸ナトリウムと酸とを緩やかに反応させるものであった。さらには、次亜塩素酸ナトリウムや酸を小分けして添加し、ｐＨ値の急激な変動を抑えるものであった。しかし、上記製造方法は、１つの混合部に次亜塩素酸ナトリウムと酸とを添加するものであり、添加された次亜塩素酸ナトリウムと酸とが反応して塩素ガスが発生する可能性があった。従って、従来の殺菌水の製造方法では、必要に応じて前記混合部の下流側に塩素ガスを吸収するガス吸収部を設ける必要があった。
【課題を解決するための手段】
【０００６】
本発明の殺菌水の製造方法は、上記問題を解消するために、原水を導入する流体導入通路とその流体導入通路の途中に設けられる複数の混合手段とを有する装置を用いて、前記流体導入通路内に順次次亜塩素酸ナトリウムと酸とを添加し前記混合手段を用いて混合する殺菌水の製造方法であって、前記原水に前記次亜塩素酸ナトリウム若しくは酸のいずれか一方を添加混合し、その混合により生成される殺菌水を前記次亜塩素酸ナトリウム若しくは酸の他方を添加混合することによって中和して中性の殺菌水とし、その中性の殺菌水に前記次亜塩素酸ナトリウム若しくは酸のいずれか一方を再度添加混合し、その混合液に酸を添加混合するようにしたものである。
【０００７】
本発明の殺菌水製造装置は、上記問題を解消するために、原水を供給する給水通路と、その給水通路が供給する原水を導入させる流体導入通路と、その流体導入通路を流れる殺菌水を外部に供給する殺菌水供給通路と、前記流体導入通路の途中に下流側に向けて順に設けられる第一混合手段と第二混合手段と第三混合手段と第四混合手段とからなる混合手段と、前記給水通路と前記第一混合手段との間の流体導入通路の途中に連絡するものであって当該通路内に次亜塩素酸ナトリウム若しくは酸のいずれか一方を添加する第一供給手段と、前記第一混合手段と前記第二混合手段との間の流体導入通路の途中に連絡するものであって当該通路内に前記第一混合手段の混合により生成された殺菌水を中和する前記次亜塩素酸ナトリウム若しくは酸の他方を添加する第二供給手段と、第二混合手段と第三混合手段との間の流体導入通路の途中に連絡するものであって当該通路内に次亜塩素酸ナトリウムもしくは酸のいずれか一方を再度添加する第三供給手段と、前記第三混合手段と第四混合手段との間の流体導入通路の途中に連絡するものであって当該通路内に酸を添加する第四供給手段とを有するようにしたものである。
【０００８】
また、本発明の殺菌水製造装置は、前記第二混合手段の下流側の流体導入通路に他の殺菌水供給通路を連絡するようにしたものである。
また、本発明の殺菌水製造装置は、前記流体導入通路を２つ備え、一方の流体導入通路の途中に下流側に向けて順に前記第一混合手段と第二混合手段と迂回用バルブとを設け、その第一混合手段の上流側の前記一方の流体導入通路の途中に前記第一供給手段を連絡し、前記第一混合手段と前記第二混合手段との間の前記一方の流体導入通路の途中に前記第二供給手段を連絡するとともに、他方の流体導入通路の途中に下流側に向けて順に迂回水導入用バルブと前記第三混合手段と前記第四混合手段とを設け、前記第三混合手段の上流側の前記他方の流体導入通路の途中に前記第三供給手段を連絡し、前記第三混合手段と前記第四混合手段との間の前記他方の流体導入通路の途中に前記第四供給手段を連絡し、前記迂回用バルブを備える前記一方の流体導入通路と前記迂回水導入用バルブを備える他方の流体導入通路とを連通する迂回水導入通路を備えるようにしたものである。
【発明の効果】
【０００９】
本発明の殺菌水の製造方法及びその装置は、原水に次亜塩素酸ナトリウムと酸とを添加混合して中和して中性の殺菌水とし、その中性の殺菌水に次亜塩素酸ナトリウムや酸を添加混合して、殺菌効果の高い殺菌水を製造するものである。本発明によると、中性の殺菌水に次亜塩素酸ナトリウム若しくは酸を添加混合し、次亜塩素酸ナトリウムと酸とを緩やかに反応させることにより、塩素ガスの発生を防止できる。また、本発明は、導水管の管内に次亜塩素酸ナトリウムや酸を順次添加し、その添加された次亜塩素酸ナトリウムや酸を複数の混合手段を用いて原水等に均一に混合することにより、添加される次亜塩素酸ナトリウムと酸とを反応させないようにして、塩素ガスの発生を抑えるものである。本発明によれば、複数の混合手段を用いて混合をおこなうため従来の混合部は必要なく、また、塩素ガスの発生を抑えるため、ガス吸収部も必要ない。
【発明を実施するための最良の形態】
【００１０】
本発明は、原水に次亜塩素酸ナトリウムと酸とを添加混合して中和して中性の殺菌水とし、その中性の殺菌水に次亜塩素酸ナトリウムや酸を添加することによって、塩素ガスの発生を抑えて殺菌効果の高い殺菌水を製造するという目的を実現するものである。また、導水管の途中に設けられる複数個の混合手段を用いて導水管に順次添加される次亜塩素酸ナトリウムや酸を均一に混合することによって、上記目的を実現するものである。
【実施例１】
【００１１】
本発明の殺菌水の製造方法を図に基づいて説明する。図１は、本発明の殺菌水の製造方法を実現する殺菌水製造装置の構成図である。
給水管１０は、水道水や井戸水などの中性の水を原水として供給するための給水通路である。給水管１０は、給水量を制御する水量調整バルブ１２と、原水の流量を測定する流量計１４を備えている。
導水管１６は給水管１０に連絡し、給水管１０から供給される原水又は後述の混合手段の混合により生成される殺菌水を導入するための流体導入通路である。
導入管１６の下流側に殺菌水を外部に供給するための殺菌水供給管１８が連結されている。殺菌水供給管１８は、配水管１８ａと供給量調整バルブ１８ｂとを備え、配水管１８ａが導水管１６に連絡しており、その連結部に流量調整バルブ１８ｂが設けられている。流量調整バルブ１８ｂの開閉により、導水管１６によって殺菌水供給管１８に導かれる殺菌水は、図示しない洗浄浴槽等に供給される。なお、流量調整バルブ１８ｂは、配水管１８に殺菌水を導入するための止水弁である。
【００１２】
導水管１６の途中には、下流側に向けて４個の混合器２０，２２，２４，２６が順に設けられている。これらの混合器は、導水管１６を流れる流体とその流体に添加される添加剤とを均一に混合するための混合手段である。上記混合器２０，２２，２４，２６は、図２に示すような形態のものである。図２の混合器は導水管１６の管内に設置されて、当該管内を流れる流体に添加された添加剤を均一に交じり合わせることができるものである。なお、上記混合器の形態は図２の混合器に限定するものではない。また、混合器２０，２２，２４，２６は添加剤によって腐食されることがない素材で形成されているものとする。
【００１３】
第一混合手段としての第一混合器２０は、導水管１６の管内に添加される次亜塩素酸ナトリウムを混合するものである。給水管１０と混合器２０との間の導水管１６の途中には、第一供給手段２８が連絡している。第一供給手段２８は、次亜塩素酸ナトリウム貯蔵タンク２８ａと、そのタンク２８ａと導水管１６とを連絡する添加剤供給管２８ｂと、その添加剤供給管２８ｂを流れる次亜塩素酸ナトリウムの流量を測定する流量計２８ｃと、その流量計２８ｃの上流側の添加剤供給管２８ｂの途中に備える流量調整バルブ２８ｄとを有するものである。第一供給手段２８は、流量調整バルブ２８ｄの調整により導水管１６に一定量の次亜塩素酸ナトリウムを添加するように設定されている。
【００１４】
第二混合手段としての第二混合器２２は、導水管１６の管内に添加される酸を混合するものである。第一混合器２０と第二混合器２２との間の導水管１６の途中には、第二供給手段３０が連絡している。第二供給手段３０は、酸貯蔵タンク３０ａと、そのタンク３０ａと導水管１６とを連絡する添加剤供給管３０ｂと、添加剤供給管３０ｂを流れる酸の流量を測定する流量計３０ｃと、その流量計３０ｃの上流側の添加剤供給管３０ｂの途中に備える流量調整バルブ３０ｄとを有するものである。第二供給手段３０は、流量調整バルブ３０ｄの調整により第一混合器２０の混合により生成されたアルカリ性の殺菌水を中和する所定量の酸を導水管１６に供給するように設定される。即ち、第二混合器２２の混合により、中性の殺菌水が生成されるようになっている。
なお、第二混合器２２の下流側の導水管１６に、第二混合器２２により生成される殺菌水の流量を計測する流量計３２が備えられている。
【００１５】
第三混合手段としての第三混合器２４は、導水管１６の管内に添加される次亜塩素酸ナトリウムを混合するものである。流量計３２と第三混合器２４との間の導水管１６の途中には、第三供給手段３４が連絡している。第三供給手段３４は、次亜塩素酸ナトリウム貯蔵タンク３４ａと、そのタンク３４ａと導水管１６とを連絡する添加剤供給管３４ｂと、添加剤供給管３４ｂを流れる次亜塩素酸ナトリウムの流量を測定する流量計３４ｃと、その流量計３４ｃの上流側の添加剤供給管３４ｂの途中に備える流量調整バルブ３４ｄとを有するものである。第三供給手段３４は、流量調整バルブ３４ｄの調整により導水管１６に一定量の次亜塩素酸ナトリウムを添加するように設定されている。
第四混合手段としての第四混合器２６は、導水管１６の管内に添加される酸を混合するものである。第三混合器２４と第四混合器２６との間の導水管１６の途中には、第四供給手段３６が備えられている。第四供給手段３６は、酸貯蔵タンク３６ａと、そのタンク３６ａと導水管１６とを連絡する添加剤供給管３６ｂと、添加剤供給管３６ｂを流れる酸の流量を測定する流量計３６ｃと、その流量計３６ｃの上流側の添加剤供給管３６ｂの途中に備える流量調整バルブ３６ｄとを有するものである。第四供給手段３６は、流量調整バルブ３６ｄの調整により導水管１６に一定量の酸を添加するように設定されている。
【００１６】
なお、導水管１６へ添加剤を供給する供給手段は、上記供給手段に限られない。添加剤の供給量を調整する制御装置や電磁ポンプ等を用いた他の供給手段であってもよい。
また、第一供給手段２８と第二供給手段３０とを逆に設ける実施態様であってもよい。
さらには、殺菌水を外部に供給する殺菌水供給管は、殺菌水供給管１８の他に、１個以上設けてもよい。例えば、殺菌水供給管１８の他に、第二混合器２２と第三混合器２４（又は流量計３２）との間の導水管１６の途中に殺菌水供給管３８を設ける場合、導水管１６と殺菌水供給管３８との連絡位置に切換バルブ３８ｂを設け、切換バルブ３８ｂを切り換えることにより、第二混合器２２の混合により生成された殺菌水を配水管３８ａから供給できる。即ち、１つの装置で、多目的の洗浄・消毒が可能となる。
【００１７】
図１において、水量調整バルブ１２が開放されると、原水が導水管１６を通じて殺菌水供給管１８に向かって導入される。いま、第一供給手段２８は、原水に対して所定量の次亜塩素酸ナトリウムが供給されるように設定されている。当該次亜塩素酸ナトリウムが原水に添加されると、第一混合器２０によって次亜塩素酸ナトリウムが原水に均一に混合される。即ち、第一混合器２０の混合により、アルカリ性の殺菌水が生成されることになる。
続いて、第一混合器２０により生成されたアルカリ性の殺菌水に、第二供給手段３０からそのアルカリ性の殺菌水を中和する特定量の酸が添加される。添加された酸は、第二混合器２２によって前記アルカリ性の殺菌水に均一に混合される。この第二混合器２２の混合により、中性（ｐＨ７）の殺菌水を生成し、その中性の殺菌水では遊離有効塩素のおよそ８０％が次亜塩素酸となる。また、上記中性の殺菌水には、中性になったことから、次亜塩素酸ナトリウム及び酸は存在しない。第二混合器２２における混合では、ｐＨはアルカリ性から中性まで変動し、酸性まで至るｐＨの急激な変動を伴わないため、塩素ガスの発生が抑えられる。
【００１８】
さらに、第二混合器２２の混合により生成された中性の殺菌水に、第三供給手段３４から供給される次亜塩素酸ナトリウムが添加される。添加された次亜塩素酸ナトリウムは、第三混合器２４によって均一に混合される。この第三混合器２４の混合により、第二混合器２２の混合により生成される殺菌水より次亜塩素酸イオンを多く含有する遊離有効塩素濃度の高いアルカリ性の殺菌水が生成される。また、第三混合器２４の混合では、酸が存在しない中性の殺菌水と次亜塩素酸ナトリウムとが混合されるため、次亜塩素酸ナトリウムと酸との反応は起こらず、塩素ガスの発生が抑えられる。
また、上記第三混合器２４の混合により生成された前記次亜塩素酸イオンを多く含有する遊離有効塩素濃度の高いアルカリ性の殺菌水に、第四供給手段３６からｐＨ７（中性）の殺菌水を生成するための特定量の酸を添加する。この添加された酸を第四混合器２６で混合すると、その混合により生成される殺菌水の遊離有効塩素のうちおよそ８０％が次亜塩素酸の殺菌水となる。この殺菌水は、第二混合器２２の混合により生成された中性の殺菌水に比べ、遊離有効塩素濃度が高く、多量の次亜塩素酸を含有するものとなる。第四混合器２６の混合は、上記第三混合器２４の混合により生成されるアルカリ性の殺菌水を中性の殺菌水に生成するものであり、アルカリ性から酸性への急激な変動を伴うものではないため、塩素ガスの発生が抑えられる。
【００１９】
次に、図１において、次亜塩素酸ナトリウム貯蔵タンク３４ａを酸貯蔵タンクとした場合の実施例について説明する。本実施例では、第二混合器２２の混合により生成された中性の殺菌水に、第三供給手段３４から供給される酸が添加される。添加された酸は、第三混合器２４によって均一に混合される。この第三混合器２４の混合により、第二混合器２２の混合により生成される殺菌水より次亜塩素酸を多く含有する酸性の殺菌水が生成される。また、第三混合器２４の混合では、次亜塩素酸ナトリウムが存在しない中性の殺菌水と酸とが混合されるため、次亜塩素酸ナトリウムと酸との反応は起こらず、塩素ガスの発生が抑えられる。但し、この場合、ｐＨ値の急激な変動を回避するため、第三混合器２４の混合によりｐＨ６付近の酸性の殺菌水が生成されるように、第三供給手段３４からの酸の供給を調整するのが望ましい。
また、上記第三混合器２４の混合により生成された酸性の殺菌水に、第四供給手段３６からｐＨ４乃至ｐＨ５の酸性の殺菌水を生成するための特定量の酸を添加する。この添加された酸を第四混合器２６で混合すると、遊離有効塩素の１００％が次亜塩素酸である殺菌水となる。第四混合器２６の混合は、上記第三混合器２４の混合により生成される酸性の殺菌水をさらにｐＨ値の低い殺菌水に生成するものであり、アルカリ性から酸性への急激な変動を伴うものではないため、塩素ガスの発生が抑えられる。
なお、第四供給手段３６から添加される特定量の酸は、ｐＨ値を４乃至５付近の酸性の殺菌水を生成するため分量であることが望ましい。ｐＨ４より低い殺菌水が生成されると、強酸性水の殺菌水が生成され、塩素ガスが発生するおそれがあり、人体に非常に危険となるからである。
また、第三供給手段３４及び第三混合器２４を用いてｐＨ４乃至ｐＨ５の殺菌水を製造してもよいが、塩素ガスの発生を防止する観点から、第三供給手段３６及び第四混合器２６を併用し、酸を分割して添加混合した方が望ましい。
【００２０】
図１の装置を用いて殺菌水を製造した。また、その製造された殺菌水を殺菌水供給手段３８及び殺菌水供給手段１８から配水し、配水された殺菌水のｐＨ値，有効塩素濃度，塩素ガス濃度をそれぞれｐＨ計，有効塩素濃度測定器，ガス検知管を用いて測定した。本実施例では、給水管１０から所定量の水道水を供給し、その水道水に対し第一供給手段２８と第二供給手段３０からそれぞれ所定量の次亜塩素酸と塩酸とを添加し、第一混合器２０と第二混合器２２の混合により、ｐＨ７，有効塩素濃度２００ｐｐｍの殺菌水が生成されるように設定した。なお、殺菌水供給手段３８から配水された殺菌水の塩素ガス濃度は、０．２ｐｐｍであった。
（１）有効塩素濃度の高い殺菌水を製造する実施例
上記ｐＨ７，有効塩素濃度２００ｐｐｍの殺菌水に、第三供給手段３４から第一供給手段２８から添加される次亜塩素酸ナトリウムと同量の次亜塩素酸ナトリウムを添加し、第四供給手段３６から第二供給手段３０から添加される塩酸と同量の塩酸を添加した。殺菌水供給手段１８から配水された殺菌水は、ｐＨ７，有効塩素濃度４００ｐｐｍの殺菌水であって、塩素ガス濃度は０．２ｐｐｍであった。塩素ガス濃度に変化はなく、上記次亜塩素酸ナトリウムと酸の添加混合による新たな塩素ガスの発生は見られなかった。
また、上記実施例の比較例として、第三供給手段３４と第四供給手段３６を使用せず、第一供給手段２８と第二供給手段３０とからそれぞれ次亜塩素酸ナトリウムと塩酸を増量して添加し混合して、ｐＨ７，有効塩素濃度３３０ｐｐｍの殺菌水を生成した。殺菌水供給手段３８から配水される殺菌水の塩素ガス濃度は、０．６ｐｐｍであった。
（２）酸性の（ｐＨの低い）殺菌水を製造する実施例
上記ｐＨ７，有効塩素濃度２００ｐｐｍの殺菌水に、第三供給手段３４と第四供給手段３６とからそれぞれ塩酸を添加し、第三混合器２４と第四混合器２６の混合によりｐＨ５の殺菌水を生成した。このとき、殺菌水供給管１８から配水された殺菌水は、ｐＨ５，有効塩素濃度２００ｐｐｍの殺菌水であって、塩素ガス濃度は０．５ｐｐｍであった。
また、上記実施例の比較例として、第三供給手段３４と第四供給手段３６を使用せず、第二供給手段３０のみから塩酸を添加し混合して、ｐＨ５，有効塩素濃度２００ｐｐｍの殺菌水を生成した。殺菌水供給手段３８から配水された殺菌水の塩素ガス濃度は、０．７ｐｐｍ乃至１．０ｐｐｍであった。
以上のように、本発明を用いた殺菌水の製造方法によると、上記比較例に比べ塩素ガス濃度が低く、次亜塩素酸ナトリウムと酸との添加混合による塩素ガスの発生を抑えることができた。
なお、労働衛生上の塩素ガスの許容濃度は１ｐｐｍであるが、上記本発明により製造された殺菌水の塩素ガス濃度は当該許容濃度に適合するものであった。
【００２１】
以上のように、本発明は、次亜塩素酸ナトリウムと酸とを添加混合して中性の殺菌水を生成し、その中性の殺菌水に次亜塩素酸ナトリウムや酸を添加混合することにより、その添加した次亜塩素酸ナトリウムや酸が反応しないようにして、塩素ガスの発生を抑え、殺菌効果の高い殺菌水を製造するものである。また、添加された次亜塩素酸ナトリウムや酸は、複数の混合器を用いて原水に充分に混合され、希釈されることから、濃度の高い次亜塩素酸ナトリウムと酸とが反応するおそれはなく、アルカリ性から酸性へのｐＨ値の急激な変動が起こらないため、塩素ガスの発生を抑えることができる。
【００２２】
図１の装置の他の実施形態を図３に示す。図３において図１の参照番号と同一の参照番号の構成部材は、図１の構成部材と同一部材また同一の用途機能を有するものであるため、その説明を省略する。
図３の装置は、流体導入通路として２本の導水管１６ａと導水管１６ｂとを有する。導水管１６ａ及び１６ｂは、それぞれ給水管１０から原水を供給される状態にあり、それぞれ図１の導水管１６と同量の原水を導入するものとする。
導水管１６ａの途中には、下流側に向けて水量調整バルブ４０、流量計１４、第一混合器２０、第二混合器２２、迂回用バルブ４２（切換バルブ）が順に設けられている。また、流量計１４と第一混合器２０との間の導水管１６ａの途中に第一供給手段２８が連結し、第一混合器２０と第二混合器２２との間の導水管１６ａの途中に第二供給手段２８が連結している。従って、本装置の導水管１６ａ側では、中性の殺菌水が生成される。
他方、導水管１６ｂの途中には、下流側に向けて迂回水導入用バルブ４４（切換バルブ）、流量計３２、第三混合器２４、第四混合器２６、供給量調整バルブ１８ａが順に設けられている。また、流量計３２と第三混合器２４との間の導水管１６ｂの途中に第三供給手段３４が連結し、第三混合器２４と第四混合器２６との間の導水管１６ｂの途中に第四供給手段３６が連結している。
【００２３】
さらに、迂回用バルブ４２で導水管１６ａを閉じ、迂回水導入用バルブ４４で導水管１６ｂを閉じた場合、迂回用バルブ４２を備える導水管１６ａと迂回水導入用バルブ４４を備える導水管１６ｂとは、迂回水導入通路としての迂回用導水管４６を通じて連通した状態となる。即ち、迂回用バルブ４２及び迂回水導入用バルブ４４を閉じることにより、導水管１６ａ側で生成された中性の殺菌水は、迂回用導水管４６を介して迂回水導入用バルブ４４の下流側の導水管１６ｂに導入されるようになっている。
【００２４】
本装置において、第三供給手段３４から次亜塩素酸ナトリウム又は酸を添加し、迂回用バルブ４２を備える導水管１６ａと迂回水導入用バルブ４４を備える導水管１６ｂとを閉じることにより、導水管１６ａ側で生成される中性の殺菌水は、導水管１６ｂ側で遊離有効塩素濃度の高い殺菌水又は酸性の殺菌水に生成され、図１の場合と同様、殺菌水供給管１８から殺菌効果の高い殺菌水を配水できる。
また、第三供給手段３４から次亜塩素酸ナトリウムを添加し、第四供給手段３６から添加された次亜塩素酸ナトリウムを中和する特定量の酸を添加した場合、迂回用バルブ４２を備える導水管１６ａと迂回水導入用バルブ４４を備える導水管１６ｂとを開放することにより、導水管１６ａ側と導水管１６ａ側とで生成される中性の殺菌水を殺菌水供給管１８から一緒に配水できる。
以上のように、本装置によれば、殺菌効果の異なる多種の殺菌水を提供することができ、多目的な洗浄や消毒が可能となる。
【図面の簡単な説明】
【００２５】
【図１】本発明の殺菌水の製造方法を実現するための装置の構成図である。
【図２】混合手段を示す図である。
【図３】本発明を実現するための装置の他の実施形態を示す図である。
【符号の説明】
【００２６】
１０  給水管
１６  導水管
１８  殺菌水供給管
２０  第一混合器
２２  第二混合器
２４  第三混合器
２６  第四混合器
２８  第一供給手段
３０  第二供給手段
３４  第三供給手段
３６  第四供給手段
３８  殺菌水供給管
４２  迂回用バルブ
４４  迂回水導入用バルブ
４６  迂回水導入管
【図１】
2006043656.tif 000003
【図２】
2006043656.tif 000004
【図３】
2006043656.tif 000005